(57)【特許請求の範囲】
【請求項１】
太陽電池モジュール支持用瓦製造の金型であって、
この金型の下型には、前記瓦の下面を形成する下型型面、及びこの下型型面より上方に膨出した中子下型型面を設け、
前記金型の上型は、前記瓦の上面を形成する上型型面、及びこの上型型面より上方に位置した中子上型型面を設け、
この下型型面と、この上型型面との間に、前記瓦の本体を構成する本体キャビティ空間を形成するとともに、この下型型面の中子下型型面と、この上型型面の中子上型型面との間に、余剰荒地キャビティ空間（中子空間）を形成し、
前記下型の枠壁用競上がり部と、前記上型の枠壁用上型凹部との間には、前記瓦の貫通孔の枠壁用の上下部枠壁キャビティ空間（枠壁キャビティ空間）を形成し、
前記本体キャビティ空間、及び前記余剰荒地キャビティ空間、並びに前記上下部枠壁キャビティ空間により、前記瓦の本体と、前記余剰荒地、及びこの余剰荒地の周辺に、枠壁を形成可能とした太陽電池モジュール支持用瓦製造の金型。
【請求項２】
請求項１に記載の太陽電池モジュール支持用瓦製造の金型において、
前記上型の中子上型型面は、この上型の上型型面に対して、窪み型面とし、また、前記下型の中子下型型面は、この下型の下型型面に対して、膨出型面とし、前記余剰荒地キャビティ空間用の前記中子空間を形成する構成とした太陽電池モジュール支持用瓦製造の金型。
【請求項３】
請求項１に記載の太陽電池モジュール支持用瓦製造の金型において、
前記下型の中子下型型面は、この下型に枠壁を構成する方形状の下型枠壁キャビティ空間を構成し、また、前記上型の中子上型型面は、この上型に枠壁を構成する方形状の上型枠壁キャビティ空間を構成し、この下型枠壁キャビティ空間とこの上型枠壁キャビティ空間とで、前記枠壁キャビティ空間を形成する構成とした太陽電池モジュール支持用瓦製造の金型。
【請求項４】
請求項１に記載の太陽電池モジュール支持用瓦製造の金型において、
前記上型の中子上型型面、又は前記下型の中子下型型面は、この中子上型型面、又はこの下型の中子下型型面の端側に切り刃を設け、この切り刃が、前記下型の中子下型型面、又は前記上型の中子上型型面の端面外側に、被さる構成とした太陽電池モジュール支持用瓦製造の金型。
【請求項５】
請求項１に記載の太陽電池モジュール支持用瓦製造の金型において、
前記上型の中子上型型面、又は前記下型の中子下型型面は、この中子上型型面、又はこの下型の中子下型型面の端側に切り刃を設け、この切り刃が、前記下型の中子下型型面の上面、又は前記上型の中子上型型面に設けた切り溝に差込み可能とする構成とした太陽電池モジュール支持用瓦製造の金型。
【請求項６】
請求項４、又は請求項５に記載の太陽電池モジュール支持用瓦製造の金型において、
前記切り刃は、前記端面外側に、間欠的に設けられる構成とした太陽電池モジュール支持用瓦製造の金型。
【請求項７】
請求項１に記載の太陽電池モジュール支持用瓦製造の金型において、
前記余剰荒地キャビティ空間で成形された余剰荒地を、前進において、カットする構成とした太陽電池モジュール支持用瓦製造の金型。
【発明の詳細な説明】
【技術分野】
【０００１】
本発明は、太陽電池モジュール支持用瓦製造の金型であって、屋根地に葺設した、陶器瓦に、太陽電池モジュールを支持するレール部材を、支える主体となる支持ブロックの設置を可能とする貫通孔と、枠壁を備えた陶器瓦を製造するに最適な、太陽電池モジュール支持用瓦製造の金型に関する。
【背景技術】
【０００２】
従来、この種の太陽電池モジュール支持用瓦としては、アルミダイキャスト製であり、例えば、特開２００４−２７８１１０号公報に記載の図２のカバー体が相当する。このカバー体は、陶器瓦とは、素材が異なることから、取扱い、美感、又は施工等において、違和感があること、又は製品の製造、搬送が区々となり、その段取りに手間を要すること、等の改良と、コスト面での改良、等が望まれていた。そこで、本出願人は、このカバー体に相当する貫通孔と枠壁を備えた太陽電池モジュール支持用瓦（陶器瓦とする）を、同質の陶器瓦で製造することを発明した。
【０００３】
この陶器瓦を、製造する際に、最も、注意と経験を要する点は、瓦素地の状態で、その枠壁の隅角内面の立上り箇所（例えば、四隅角と、その近辺等）、又は裏面と貫通孔の隅角内面の連結箇所（例えば、四隅角と、その近辺等）において、亀裂が発生することが、間々発生する。その要因は、主として、枠壁の立上りが高いことから、荒地の流動化の欠如（製造工程と、製造機械の能力、及び／又は、他の機器とのバランス、又は経験等を含む）と、この欠如に基づく、荒地の配分がスムースにならないこと、等が要因と考えられる。そして、従来は、このような状況においては、瓦素地の段階で、経験者が鏝、刷毛等の冶具を利用して、修正する。しかし、この作業は大変であり、手間を要すること、又は経験を要すること、大量生産の障害となること、等の改良すべき一面を備えている。
【０００４】
上記に鑑み、本発明では、次のような目的達成を図る。即ち、第１は、瓦素地用の荒地の流動化を促進するとともに、荒地の配分がスムースになる構造とし、前記亀裂の発生を無くすこと、又は瓦素地の修正回避と、歩留まりの向上を図ること、等を意図する。また第２は、この亀裂の発生を無くすことで、生産性の向上を図り、市井の要望（例えば、品質と、数量、又は価格等の要望）に応えることを目的とする。そして、第３は、この亀裂の発生を無くすことで、陶器瓦の耐久性と、幾分の軽量化（屋根時に多数枚葺設することによる）、及び／又は建物の耐久性等を図ることにある。
【０００５】
以上の目的達成を図る、金型に関する先行文献には、具体的に関連する公報は、残念ながら見当たらなかった。そこで、亀裂発生回避、及び／又は、折損回避等を意図した関連公報の概要を説明する。その文献（１）は、特開平５−１５４８４９号公報の金型装置であり、この発明は、上下動する中子を利用して、上型の離脱を容易とすることで、目的達成を図る構造である。この発明は、成形品の離型の容易化を意図する構造である。従って、本発明が意図する、前記目的達成を図る構造とは、異なり、かつこの発明の金型装置では、本発明の意図は達成できない。また、その文献（２）は、特開平１０−３２９１１７号公報の瓦用の成形金型であり、この発明は、凹凸部の大きい形状の瓦本体でなる瓦、又は肉厚の変化が大きい形状の瓦本体でなる瓦等の瓦製品の歩留りの向上を図る金型の提供であり、この発明は、下型に回転自在の補助型部材を設ける構造であり、この補助型部材の回転を利用し、前記凹凸部形状、又は肉厚の変化形状を、成形する。従って、本発明が意図する、前記目的達成を図ることが困難であることは、文献（１）と同じと考えられる。
【０００６】
【特許文献１】特開平５−１５４８４９号公報
【特許文献２】特開平１０−３２９１１７号公報
【発明の概要】
【発明が解決しようとする課題】
【０００７】
上記に鑑み、本発明では、前述した如く、第１は、瓦素地用の荒地の流動化を促進するとともに、荒地の配分がスムースになる構造とし、前記亀裂の発生を無くすこと、又は瓦素地の修正回避と、歩留まりの向上を図ること、等を意図する。また、第２は、この亀裂の発生を無くすことで、生産性の向上を図り、市井の要望（例えば、品質と、数量、又は価格等の要望）に応えることを目的とする。第３は、亀裂の発生を無くすことで、陶器瓦の耐久性と、幾分の軽量化（屋根時に多数枚葺設することによる）、及び／又は建物の耐久性等を図る。また、第４は、その他として、金型に特別な工夫をすることで、製造、及び／又は、製造工程の簡略化と、スピード化等を図ること、等を主要な目的とする。
【課題を解決するための手段】
【０００８】
前述した、課題を解決手段として、本発明は、下記の構造をそれぞれ提案する。
【０００９】
請求項１の発明では、太陽電池モジュール支持用瓦製造の金型であって、
この金型の下型には、前記瓦の下面を形成する下型型面、及びこの下型型面より上方に膨出した中子下型型面を設け、
前記金型の上型は、前記瓦の上面を形成する上型型面、及びこの上型型面より上方に位置した中子上型型面を設け、
この下型型面と、この上型型面との間に、前記瓦の本体を構成する本体キャビティ空間を形成するとともに、この下型型面の中子下型型面と、この上型型面の中子上型型面との間に、余剰荒地キャビティ空間（中子空間）を形成し、
前記下型の枠壁用競上がり部と、前記上型の枠壁用上型凹部との間には、前記瓦の貫通孔の枠壁用の上下部枠壁キャビティ空間（枠壁キャビティ空間）を形成し、
前記本体キャビティ空間、及び前記余剰荒地キャビティ空間、並びに前記上下部枠壁キャビティ空間により、前記瓦の本体と、前記余剰荒地、及びこの余剰荒地の周辺に、枠壁を形成可能とした太陽電池モジュール支持用瓦製造の金型である。
【００１１】
請求項２の発明では、請求項１に記載の太陽電池モジュール支持用瓦製造の金型において、
前記上型の中子上型型面は、この上型の上型型面に対して、窪み型面とし、また、前記下型の中子下型型面は、この下型の下型型面に対して、膨出型面とし、前記余剰荒地キャビティ空間用の前記中子空間を形成する構成とした太陽電池モジュール支持用瓦製造の金型である。
【００１２】
請求項３の発明では、請求項１に記載の太陽電池モジュール支持用瓦製造の金型において、
前記下型の中子下型型面は、この下型に枠壁を構成する方形状の下型枠壁キャビティ空間を構成し、また、前記上型の中子上型型面は、この上型に枠壁を構成する方形状の上型枠壁キャビティ空間を構成し、この下型枠壁キャビティ空間とこの上型枠壁キャビティ空間とで、前記枠壁キャビティ空間を形成する構成とした太陽電池モジュール支持用瓦製造の金型である。
【００１３】
請求項４の発明では、請求項１に記載の太陽電池モジュール支持用瓦製造の金型において、
前記上型の中子上型型面、又は前記下型の中子下型型面は、この中子上型型面、又はこの下型の中子下型型面の端側に切り刃を設け、この切り刃が、前記下型の中子下型型面、又は前記上型の中子上型型面の端面外側に、被さる構成とした太陽電池モジュール支持用瓦製造の金型である。
【００１４】
請求項５の発明では、請求項１に記載の太陽電池モジュール支持用瓦製造の金型において、
前記上型の中子上型型面、又は前記下型の中子下型型面は、この中子上型型面、又はこの下型の中子下型型面の端側に切り刃を設け、この切り刃が、前記下型の中子下型型面の上面、又は前記上型の中子上型型面に設けた切り溝に差込み可能とする構成とした太陽電池モジュール支持用瓦製造の金型である。
【００１５】
請求項６の発明では、請求項４、又は請求項５に記載の太陽電池モジュール支持用瓦製造の金型において、
前記切り刃は、前記端面外側に、間欠的に設けられる構成とした太陽電池モジュール支持用瓦製造の金型である。
【００１６】
請求項７の発明では、請求項１に記載の太陽電池モジュール支持用瓦製造の金型において、
前記余剰荒地キャビティ空間で成形された余剰荒地を、前進において、カットする構成とした太陽電池モジュール支持用瓦製造の金型である。
【発明の効果】
【００１７】
請求項１の発明では、太陽電池モジュール支持用瓦製造の金型であって、
金型の下型には、瓦の下面を形成する下型型面、及び下型型面より上方に膨出した中子下型型面を設け、
金型の上型は、瓦の上面を形成する上型型面、及び上型型面より上方に位置した中子上型型面を設け、
下型型面と、上型型面との間に、瓦の本体を構成する本体キャビティ空間を形成するとともに、下型型面の中子下型型面と、上型型面の中子上型型面との間に、余剰荒地キャビティ空間（中子空間）を形成し、
下型の枠壁用競上がり部と、上型の枠壁用上型凹部との間には、瓦の貫通孔の枠壁用の上下部枠壁キャビティ空間（枠壁キャビティ空間）を形成し、
本体キャビティ空間、及び余剰荒地キャビティ空間、並びに上下部枠壁キャビティ空間により、瓦の本体と、余剰荒地、及び余剰荒地の周辺に、枠壁を形成可能とした太陽電池モジュール支持用瓦製造の金型である。
【００１８】
従って、請求項１の発明では、第１に、瓦素地用の荒地の流動化を促進するとともに、荒地の配分がスムースになる構造とし、前記亀裂の発生を無く得ること、又は瓦素地の修正回避と、歩留まりの向上が図れること、等の特徴がある。また、第３は、この亀裂の発生を無くすことで、生産性の向上が図れること、又は市井の要望（例えば、品質と、数量、又は価格等の要望）に応え得る利点がある。そして、第４は、亀裂の発生を無くすことで、陶器瓦の耐久性と、幾分の軽量化（屋根時に多数枚葺設することによる）、及び／又は建物の耐久性等に有効である実益がある。殊に、第４は、金型に特別な工夫をすることで、製造、及び／又は、製造工程の簡略化と、スピード化等が図れること、等の特徴がある。
【００２１】
請求項２の発明では、請求項１に記載の太陽電池モジュール支持用瓦製造の金型において、
上型の中子上型型面は、上型の上型型面に対して、窪み型面とし、また、下型の中子下型型面は、下型の下型型面に対して、膨出型面とし、余剰荒地キャビティ空間用の中子空間を形成する構成とした太陽電池モジュール支持用瓦製造の金型である。
【００２２】
請求項３の発明では、請求項１に記載の太陽電池モジュール支持用瓦製造の金型において、
下型の中子下型型面は、下型に枠壁を構成する方形状の下型枠壁キャビティ空間を構成し、また、上型の中子上型型面は、上型に枠壁を構成する方形状の上型枠壁キャビティ空間を構成し、下型枠壁キャビティ空間と上型枠壁キャビティ空間とで、枠壁キャビティ空間を形成する構成とした太陽電池モジュール支持用瓦製造の金型である。
【００２３】
従って、請求項２・３の発明では、本発明の目的を達成するために、最適で、かつ理に叶った金型構造を提案できる特徴がある。
【００２４】
請求項４の発明では、請求項１に記載の太陽電池モジュール支持用瓦製造の金型において、
上型の中子上型型面、又は下型の中子下型型面は、中子上型型面、又は下型の中子下型型面の端側に切り刃を設け、切り刃が、下型の中子下型型面、又は上型の中子上型型面の端面外側に、被さる構成とした太陽電池モジュール支持用瓦製造の金型である。
【００２５】
請求項５の発明では、請求項１に記載の太陽電池モジュール支持用瓦製造の金型において、
上型の中子上型型面、又は下型の中子下型型面は、中子上型型面、又は下型の中子下型型面の端側に切り刃を設け、切り刃が、下型の中子下型型面の上面、又は上型の中子上型型面に設けた切り溝に差込み可能とする構成とした太陽電池モジュール支持用瓦製造の金型である。
【００２６】
従って、請求項４・５の発明では、本発明の目的を達成するために、最も、最適で、かつ製造の簡略化とスピード化に寄与できる金型構造を提案できる特徴がある。
【００２７】
請求項６の発明では、請求項４、又は請求項５に記載の太陽電池モジュール支持用瓦製造の金型において、
切り刃は、端面外側に、間欠的に設けられる構成とした太陽電池モジュール支持用瓦製造の金型である。
【００２８】
請求項７の発明では、請求項１に記載の太陽電池モジュール支持用瓦製造の金型において、
余剰荒地キャビティ空間で成形された余剰荒地を、前進において、カットする構成とした太陽電池モジュール支持用瓦製造の金型である。
【００２９】
従って、請求項６・７の発明では、請求項１と、請求項４・５の目的を達成するために、最も、最適で、かつ製造の簡略化とスピード化に寄与できる金型構造を提案できる特徴がある。
【図面の簡単な説明】
【００３０】
【図１】金型の拡大断面図
【図２】下型の斜視図
【図３】下型のＢ−Ｂ‘断面図
【図４】上型の斜視図
【図５】上型のＢ−Ｂ‘断面図
【図６−１】金型（複数の金型に同時にする量産の例もあり得る）に一枚の荒地を搬入（セット）した状態の断面模式図
【図６−２】図６−１の成形終了時であって、瓦素地が形成された状態の断面模式図
【図６−３】上下型で成形した瓦素地の一例を示した斜視図
【図７】瓦成形機の一例を示した正面図
【図８−１】瓦の第一例（平板瓦）を示した斜視図
【図８−２】瓦の第二例（平板瓦）を示した斜視図
【図８−３】瓦の第三例（平板瓦）を示した斜視図
【図８−４】瓦の第四例（平板瓦）を示した斜視図
【図８−５】瓦の第五例（和形）を示した斜視図
【図９−１】中子下型型面の端面外側に切り刃を設けた要部の拡大断面図
【図９−２】中子下型型面の端側に切り刃を設け、中子上型型面に切り溝を設けた要部の拡大断面図
【図１０−１】中子上型型面の端面外側に切り刃を設けた要部の拡大断面図
【図１０−２】中子上型型面の端側に切り刃を設け、中子下型型面に切り溝を設けた要部の拡大断面図
【図１１−１】他の金型（複数の金型に同時にする量産の例もあり得る）に一枚の荒地を搬入（セット）した状態の断面模式図
【図１１−２】図１１−１の成形終了時であって、瓦素地が形成された状態の断面模式図
【図１２】太陽電池モジュール支持用瓦の使用の一例であり、そのパーツ部材の分解斜視図
【図１３】従来の瓦素地を示した斜視図
【発明を実施するための形態】
【００３１】
以下、本発明の一実施例を説明する。
【００３２】
１は太陽電池モジュール支持用瓦製造の下型（下金型）で、この下型１は、陶器瓦Ａ（太陽電池モジュール支持用瓦であり、以下、瓦Ａとする）の下面Ａ１（裏面）の形状に相似形の下型型面２と、この下型型面２に設けた、この瓦Ａの貫通孔Ａ２を形成する中子下型型面３と、この中子下型型面３と下型型面２との間に形成した、この瓦Ａの枠壁Ａ３の略半分（３／５）を形成する枠壁Ａ３の下部枠壁キャビティ空間５（溝部）とで構成する。この下部枠壁キャビティ空間５は、下型型面２より中子下型型面３を膨出形成することで、下型型面２と中子下型型面３の間の枠壁用競上がり部１ａで形成されるとともに、この中子下型型面３の型面は、下型型面２より、やや膨出した構造となり、図１の下型１をプレス機７に取付け時に、上側に膨出した膨出型面となる。この枠壁Ａ３の下部枠壁キャビティ空間５は、各図では、略ハウス形のような五角形を形成するが一例である。図中６は方形状で肉圧底部と外郭側板とでなる下型枠体を示しており、この下型枠体６が、例えば、プレス機７のベース７００に取付けられる。この下型１の下型型面２は、図８−１の瓦Ａの第一例（平板瓦）を示した斜視図〜瓦Ａの第四例（平板瓦）を示した斜視図とか、図８−５の瓦Ａの第五例（和形）を示した斜視図の如く、それぞれの形状を備えている。この図８−１〜図８−５の形状は一例であり、何ら、限定されない。
【００３３】
１０は太陽電池モジュール支持用瓦製造の上型（上金型）で、この上型１０は、瓦Ａの上面Ａ１０（表面）の形状とか引掛け部等に相似形の上型型面２０と、この上型型面２０に、後述する枠壁Ａ３の上部枠壁キャビティ空間５０（後述する。溝部）を跨いで膨出形成した、この瓦Ａの貫通孔Ａ２を形成する中子上型型面３０と、この中子上型型面３０と上型型面２０との間に、方形状の溝部となる、例えば、枠壁用上型凹部１０ａと、この枠壁用上型凹部１０ａの内側に、上型型面２０よりやや低く膨出形成した、この瓦Ａの枠壁Ａ３の略半分（２／５）を形成する枠壁Ａ３の上部枠壁キャビティ空間５０（溝部）とで構成する。尚、前記上部枠壁キャビティ空間５０は、上型型面２０に、方形状の溝部となる、例えば、枠壁用上型凹部１０ａを設けるとともに、この枠壁用上型凹部１０ａの中に、中子上型型面３０を形成する。この中子上型型面３０の型面は、上型型面２０より、低い構造となり、図１の上型１０をプレス機７に取付け時に、上側に窪んだ窪み型面となる。この枠壁Ａ３の上部枠壁キャビティ空間５０は、各図では、略ハウス形のような五角形を形成するが一例である。図中６０は方形状で肉圧底部と外郭側板とでなる上型枠体を示しており、この上型枠体６０がプレス機７の昇降ベース７０１に取付けられる。この上型１０の上型型面２０は、図８−１の瓦Ａの第一例（平板瓦）を示した斜視図〜瓦Ａの第四例（平板瓦）を示した斜視図とか、図８−５の瓦Ａの第五例（和形）を示した斜視図の如く、それぞれの形状を備えている。この図８−１〜図８−５の形状は一例であり、何ら、限定されない。
【００３４】
図１と、図６−１と図６−２に示した如く、実施例では、下型１の下型型面２及び下型枠体６と、上型１０の上型型面２０及び上型枠体６０との間には（合体による。以下同じ）、本体キャビティ空間８が形成されるとともに、この下型１の中子下型型面３と、上型１０の中子上型型面３０の型面との間には、余剰荒地キャビティ空間９ａが、また、下型１の枠壁用競上がり部１ａと、上型１０の枠壁用上型凹部１０ａとの間には、上下部枠壁キャビティ空間５、５０（枠壁キャビティ空間９ｂである）が形成される構造である。従って、図６−１の如く、上下型１０、１に荒地Ｒをセットした後、上型１０を降下することで、上型型面２０と、下型型面２の間で、瓦素地ＡＡの瓦本体ＡＡ４が、また、中子上型型面３０と、中子下型型面３の間で、成形後にカットされる余剰素地Ｒ１が形成される。そして、この成形過程で、上型型面２０、及び中子上型型面３０が、順次、降下することで、この上型型面２０、及び中子上型型面３０と、下型型面２、及び中子下型型面３との間に存在する荒地Ｒ（尚、従来の金型構造では、この箇所における荒地Ｒが無かったので、亀裂Ｚが発生する）を、スムースに枠壁キャビティ空間９ｂに押込み可能とする。即ち、中子上型型面３０と中子下型型面３の間に存在する余剰荒地Ｒ１を、余剰荒地キャビティ空間９ａ、及び／又は、枠壁キャビティ空間９ｂに押込み可能とすることで、図１１に示した、従来の金型で成形された瓦素地ＡＡに発生する亀裂Ｚの発生を無くし得る特徴がある。殊に、本発明では、余剰荒地Ｒ１を、従来の金型装置の如く、金型装置セット前に、切落とす方法でないことから、この枠壁キャビティ空間９ｂの内側角上部と、その上部より内部において、亀裂Ｚが発生し易い箇所への押込みに要する量の確保と、この箇所に対して押込み可能となること、併せて、余剰荒地Ｒ１は、前記箇所に、この余剰荒地Ｒ１を押込む力となり、荒地Ｒの移動が確実かつスムースに行える特徴がある。そして、上下型１０、１が合体したときに、この枠壁キャビティ空間９ｂに余剰荒地Ｒ１が、僅か残ることも、前記効果と特徴を発揮できる理由と考えられる。尚、この成形後には、瓦素地ＡＡには、本体キャビティ空間８の荒地Ｒで成形された瓦本体ＡＡ４と、この瓦本体ＡＡ４に開設された貫通孔Ａ２と、枠壁キャビティ空間９ｂに押込まれた荒地Ｒで形成された枠壁Ａ３（枠壁素地）とが、それぞれ形成される。即ち、この作業で、瓦素地ＡＡ（陶器瓦素地）が成形される構造である。
【００３５】
尚、図１１−１と、図１１−２に示した実施例では、前記中子下型型面３と、中子上型型面３０を金型に設けず、荒地Ｒを一体構造にすること（従来では、本発明の貫通孔Ａ２に相当する荒地Ｒを、金型に供給する前に、カットする構造である）で、亀裂回避を図ること、又は成形後の手間を解消するために、下型１、及び／又は、下型枠体６に、貫通孔Ａ２に相当する孔１１を形成することと、この孔１１に嵌り込む、上型１０に設けた膨出形状の押出し中子１２と、カット刃１３とを設ける構造である。この図１１−１と、図１１−２に示した実施例では、必ずしも、十分でないが、従来に比し、手間の解消と、歩留まりの向上等に寄与できる。その他は、前述の図６−１と図６−２に示した例に準ずる
また、図９−１〜図１０−２は、切り刃１５、又は切り溝１６を設けた、各実施例を示している。先ず、図９−１は、下型１の中子下型型面３の端側に切り刃１５を設け、切り刃１５が、上型１０の中子上型型面３０の端面外側に、被さる構成であり、中子上下型型面３０、３で荒地Ｒを押圧する際に（余剰荒地Ｒ１の成形時に）、この余剰荒地Ｒ１と瓦素地ＡＡとの間にカット用の切条を形成し、この瓦素地ＡＡ成形後に、余剰荒地Ｒ１を取り易くする構造の金型である。次に、図９−２は、下型１の中子下型型面３の端側に切り刃１５を設け、切り刃１５が、上型１０の中子上型型面３０に設けた切り溝１６に差込み可能とする構成であり、中子上下型型面３０、３で荒地Ｒを押圧する際に（余剰荒地Ｒ１の成形時に）、この余剰荒地Ｒ１と瓦素地ＡＡとの間にカット用の切条を形成し、この瓦素地ＡＡの成形後に、余剰荒地Ｒ１を取り易くする構造の金型である。そして、図１０−１は、上型１０の中子上型型面３０の端側に切り刃１５を設け、切り刃１５が、下型１の中子下型型面３の端面外側に、被さる構成であり、中子上下型型面３０、３で荒地Ｒを押圧する際に（余剰荒地Ｒ１の成形時に）、この余剰荒地Ｒ１と瓦素地ＡＡとの間にカット用の切条を形成し、この瓦素地ＡＡの成形後に、余剰荒地Ｒ１を取り易くする構造の金型である。また、図１０−２は、上型１０の中子上型型面３０の端側に切り刃１５を設け、切り刃１５が、下型１の中子下型型面３に設けた切り溝１６に差込み可能とする構成であり、中子上下型型面３０、３で荒地Ｒを押圧する際に（余剰荒地Ｒ１の成形時に）、この余剰荒地Ｒ１と瓦素地ＡＡとの間にカット用の切条を形成し、この瓦素地ＡＡ成形後に、余剰荒地Ｒ１を取り易くする構造の金型である。
【００３６】
前記プレス機７には、一例として、次のような装置が設けられる。上型１０を動作する駆動源（単独プレス機７としての一例）で、例えば、フリクションプレス機７０と、瓦素地ＡＡを吸着する吸着金型２１と、この吸着金型２１の昇降等を司るはシリンダー２２と、吸着金型２１にエアを供給するエア供給管２３と、下型１の前進後退を司る、ガイド機構２５、及び図示しない駆動機構等を備えている。この構造を利用して、下型１が前進後退することで、例えば、荒地Ｒの供給と、瓦素地ＡＡの取出しを図り、また上型１０の昇降で、成形、及び荒地Ｒの供給と、瓦素地ＡＡの取出しを図る。尚、瓦素地ＡＡの吸着、及び／又は、余剰荒地Ｒ１の取出しは、下型１の後退時で、かつ上型１０の上昇時に行う。尚、図７においては、プレス機７は、一個取りの形態を示しているが、多数取りの自動プレス機（図示せず）の場合も同様に考えられる。また、上下型１０、１とか、吸着金型２１等は多数基となる。
【００３７】
尚、この瓦Ａは、図１２の如く、屋根地に葺設された瓦Ａとともに所定の箇所に葺設される。そして、この複数の瓦Ａの各貫通孔Ａ２（以下、単独で説明する）には、屋根地に設置した樹脂等のブロックＢの突部Ｂ１が挿入され、この突部Ｂ１の上面が、枠壁Ａ３と同じ面か、僅かに突出する構造とするとともに、この上面には、枠壁Ａ３を被嵌するように、ステンレスカバーＢ２等の支持部材を設けることで、太陽電池モジュール支持用の基礎が形成される。従って、この基礎の上（複数のステンレスカバーＢ２）に、多数本の梁、横棧等の多数の支持材Ｃを架承する構造である。この多数の支持材Ｃを利用して、屋根に太陽電池モジュール（太陽光モジュール・ソーラーパネル）を支持することを特徴とする。
【００３８】
以上で前述した実施例は、好ましい一例を示したものであり、同様な効果と特徴を有する他の金型装置は、本発明の範疇である。
【符号の説明】
【００３９】
１          下型
１ａ        枠壁用競上がり部
２          下型型面
３          中子下型型面
５          下部枠壁キャビティ空間
６          下型枠体
７          プレス機
７０        フリクションプレス機
７００      ベース
７０１      昇降ベース
８          本体キャビティ空間
９ａ        余剰荒地キャビティ空間
９ｂ        枠壁キャビティ空間
１０        上型
１０ａ      枠壁用上型凹部
２０        上型型面
３０        中子上型型面
５０        上部枠壁キャビティ空間
６０        上型枠体
１１        孔
１２        押出し中子
１３        カット刃
１５        切り刃
１６        切り溝
２１        吸着金型
２２        シリンダー
２３        エア供給管
２５        ガイド機構
Ａ          瓦
ＡＡ        瓦素地
Ａ１        下面
Ａ１０      上面
Ａ２        貫通孔
Ａ３        枠壁
ＡＡ４      瓦本体
Ｂ          ブロック
Ｂ１        突部
Ｂ２        ステンレスカバー
Ｃ          支持材
Ｒ          荒地
Ｒ１        余剰荒地
Ｚ          亀裂
【図１】
0005455133.tif 000002
【図２】
0005455133.tif 000003
【図３】
0005455133.tif 000004
【図４】
0005455133.tif 000005
【図５】
0005455133.tif 000006
【図６−１】
0005455133.tif 000007
【図６−２】
0005455133.tif 000008
【図６−３】
0005455133.tif 000009
【図７】
0005455133.tif 000010
【図８−１】
0005455133.tif 000011
【図８−２】
0005455133.tif 000012
【図８−３】
0005455133.tif 000013
【図８−４】
0005455133.tif 000014
【図８−５】
0005455133.tif 000015
【図９−１】
0005455133.tif 000016
【図９−２】
0005455133.tif 000017
【図１０−１】
0005455133.tif 000018
【図１０−２】
0005455133.tif 000019
【図１１−１】
0005455133.tif 000020
【図１１−２】
0005455133.tif 000021
【図１２】
0005455133.tif 000022
【図１３】
0005455133.tif 000023